(57)【要約】【技術課題】誰でも簡単に台木のカット及び溝加工ができる加工機を提供する。【解決手段】内部に駆動モータ１１を組み込むと共に切粉受け入れ室２５、２６を形成し、上面にスライドテーブル２と第２スライドテーブル３を形成して成る加工機本体１と、前記加工機本体１の上面に形成されたスライドテーブル２上に台木ストッパー４とスケールゲージ７とから成る。駆動モータ１１により鋸カッター１０を駆動して台木ａを切断し、第２スライドテーブル３の溝カッター２３を駆動して指あて溝ｂを加工する。【選択図】        図６
2004284219.tif 000002
【特許請求の範囲】
【請求項１】
スライドテーブル上に台木ストッパーを固定すると共にこの台木ストッパーの先端の延長線上にゲージストッパー付の台木スケールゲージを固定し、且つ前記台木ストッパーの先端と台木スケールゲージとの間には小間隙を設けたこと、前記小間隙に対向させて円形の鋸カッターを配置し、且つこの鋸カッターは安全カバーで覆われていると共にこの安全カバーは、前記小間隙の部分において鋸カッター側に幅を持つ上方に開放自在の開閉カバー部分が形成されていること、を特徴とする台木切断・指あて溝加工機。
【請求項２】
請求項１に記載のスライドテーブルの内側であって、前記鋸カッターの部分には切粉受け入れ室が形成されていると共にこの切粉受け入れ室の一部には吸引口が形成されていて、この吸引口に電気掃除機の吸引ホースを接続し、電気掃除機を駆動することにより、切粉受け入れ室内を負圧に形成し、この負圧の作用で切粉を切粉受け入れ室内に吸引し、続けて電気掃除機内に吸引することができるように構成されていること、を特徴とする台木切断・指あて溝加工機。
【請求項３】
請求項１に記載のスライドテーブルの前方に一段低い第２スライドテーブルを形成し、この第２スライドテーブル上に台木ガイドストッパーを固定すると共にこの台木ガイドストッパーに沿って指あて溝カッターとこの溝カッター上に台木押えを配置したこと、を特徴とする台木切断・指あて溝加工機。
【請求項４】
請求項３に記載の第２スライドテーブルの内側であって、指あて溝カッターの所に切粉受け入れ室を形成すると共にこの切粉受け入れ室の一部には吸引口が形成されていて、この吸引口に電気掃除機の吸引ホースを接続し、電気掃除機を駆動することにより、前記切粉受け入れ室内を負圧に形成し、この負圧の作用で切粉を切粉受け入れ室内に吸引し、続けて電気掃除機内に吸引することができるように構成されていること、を特徴とする台木切断・指あて溝加工機。
【発明の詳細な説明】
【０００１】
【発明の属する技術分野】
本発明は、台木（印材）を任意の大きさにカットしたり、この台木に指あて溝を加工したりするときに使用される台木切断・指あて溝加工機に関し、更に詳しくは、小型、軽量化されていると共に台木の素材を選ばず、何人でも簡単に、そして安全に使いこなすことができる台木切断・指あて溝加工機に関する。
【０００２】
【従来の技術】
台木を所定の大きさに加工（切断）する場合には、スケールやカッターを用いた手作業であることから、加工に時間がかかると共に精度良く仕上げるためには熟練が必要である。また、手作業のために怪我をすることも多い。
【０００３】
【発明が解決しようとする課題】
本発明は、斯かる点に鑑みて提案されるものであって、その目的は、何人でも簡単に、安全に使用できる台木切断・指あて溝加工機を提供することである。
【０００４】
【課題を解決するための手段】
上記目的を達成するため、請求項１に記載の発明においては、台木切断・指あて溝加工機において、スライドテーブル上に台木ストッパーを固定すると共にこの台木ストッパーの先端の延長線上にゲージストッパー付の台木スケールゲージを固定し、且つ前記台木ストッパーの先端と台木スケールゲージとの間には小間隙を設けたこと、前記小間隙に対向させて円形の鋸カッターを配置し、且つこの鋸カッターは安全カバーで覆われていると共にこの安全カバーは、前記小間隙の部分において鋸カッター側に幅を持つ上方に開放自在の開閉カバー部分が形成されていること、を特徴とするものである。
【０００５】
更に、請求項２に記載の発明においては、請求項１に記載のスライドテーブルの内側であって、前記鋸カッターの部分には切粉受け入れ室が形成されていると共にこの切粉受け入れ室の一部には吸引口が形成されていて、この吸引口に電気掃除機の吸引ホースを接続し、電気掃除機を駆動することにより、切粉受け入れ室内を負圧に形成し、この負圧の作用で切粉を切粉受け入れ室内に吸引し、続けて電気掃除機内に吸引することができるように構成されているものである。
【０００６】
更に、請求項３に記載の発明においては、請求項１に記載のスライドテーブルの前方に一段低い第２スライドテーブルを形成し、この第２スライドテーブル上に台木ガイドストッパーを固定すると共にこの台木ガイドストッパーに沿って指あて溝カッターとこの溝カッター上に台木押えを配置したこと、を特徴とするものである。
【０００７】
更に、請求項４に記載の発明においては、請求項３に記載の第２スライドテーブルの内側であって、指あて溝カッターの所に切粉受け入れ室を形成すると共にこの切粉受け入れ室の一部には吸引口が形成されていて、この吸引口に電気掃除機の吸引ホースを接続し、電気掃除機を駆動することにより、前記切粉受け入れ室内を負圧に形成し、この負圧の作用で切粉を切粉受け入れ室内に吸引し、続けて電気掃除機内に吸引することができるように構成されていること、を特徴とするものである。
【０００８】
【作用】
上記加工機において、台木は、先ず所定の寸法を有する長尺の台木に加工され、この台木をゴム印の大きさに切断するときに、鋸カッターが用いられる。この切断に際しては、先ず、台木スケールゲージのゲージストッパーの位置を決め、次に開閉カバーを上方に開けて台木ストッパーに台木を沿わせながら、この台木の先端がゲージストッパーに当って止るまで押し込む。
次に、スイッチをＯＮに制御し、鋸カッターの駆動モータを始動させて鋸カッターを回転させると共に台木ストッパー及び台木スケールゲージと一緒に台木を鋸カッター側に押し当てて切断を行う。この時、電気掃除機も併せて駆動し、切粉を切粉受け入れ室内から電気掃除機内に吸引する。台木は、上記のようにして所定の大きさに切断する。
【０００９】
次に、指あて溝を加工する場合には、長尺の台木を第２スライドテーブルの台木ガイドストッパーに沿わせ、台木押えを上方に持ち上げ、指あて溝カッターを駆動し、台木をこの指あて溝カッター側に前進させて台木押えの下まで来たところで台木押えをフリーにすると、この台木押えが台木を上方から押える。
この状態で台木を台木ガイドストッパーに沿って前進させると、溝カッターにより台木の下面に指あて溝が台木の長手方向に一直線状に加工される。この指あて溝の加工時にも電気掃除機を駆動して、切粉をこの電気掃除機内に吸引する。
【００１０】
【実施例】
以下、本発明の構成とその作用を添付の図１〜図５に基づいて詳細に説明する。図１は、加工機の外観を示すもので、符号の１は加工機本体であって、この加工機本体１は、上段に台木切断用のスライドテーブル２と、この前方の下段に指あて溝加工用の第２スライドテーブル３を形成した外観である。
４は前記スライドテーブル２上に固定された台木ストッパー、５はこの台木ストッパー３の先端側を横切るようにして形成された安全カバーであって、この安全カバー５の一部であって、前記台木ストッパー４の先端が位置する部分には、上方に開放自在な開閉カバー６が形成されている。
【００１１】
７は前記安全カバー５を挟んで（小間隙を挟んで）台木ストッパー４の延長線上に固定された台木スケールゲージであって、このゲージ７には、スライド調整自在にゲージストッパー８が取り付けてあり、このゲージストッパー８は、固定ハンドル９により台木スケールゲージ７に固定自在である。
１０は前記安全カバー５内であって、開閉カバー６内に一部が位置するようにスライドテーブル２の上面に露出するように配置された円形の鋸カッターである。
【００１２】
１１は鋸カッター駆動用のモータであって、このモータ１１の駆動軸１１ａに取り付けられた駆動プーリー１１ｂと鋸カッター１０の駆動軸１０ａに取り付けられたプーリー１０ｂとは、ベルト１２で連結されている。図５において、１３はベルト１２のテンション調整プーリー、１４はガイド軸、１４ａはガイドプーリーである。
１５は前記第２スライドテーブル３の前縁に沿って固定された台木ガイドストッパー、１６はこの台木ガイドストッパー１５の先端側に配設された台木押えであって、この台木押え１６は、支軸１７、１８により上下動自在に取り付けられていて、安全カバー兼取付部１９とこの取付部１９に螺番２０で反転自在に取り付けられたローラー取付板２１と、このローラー取付板２１の下面において２ヶ所に分けて遊転自在に取り付けられた押えローラー２２、２２ａで構成されている。
【００１３】
２３は前記台木押え１６の押えローラー２２、２２ａの下部であって、前記スライドテーブル２の上面から少し露出するようにして回転軸１４ａに取り付けられた指おさえ溝カッターであって、この溝カッター２３は、前記ガイドプーリー１４の回転軸１４ａと同軸の連結駆動軸２４を介して連結されている。
２５及び２６は鋸カッター１０及び溝カッター２３の下部であって、スライドテーブル２、３の下に形成された切粉受け入れ室、２７は、この切粉受け入れ室２５、２６から加工機本体１の外装の部分に延長された電気掃除機の吸引ホース２８の接続口である。
【００１４】
次に、上記実施例に係る加工機について、その作用（使用例）を図６〜図９に基づいて詳細に説明する。
図６、図７は、スライドテーブル２上において、鋸カッター１０を用いて図８に示す台木ａをａ´線で切断している状態と、第２スライドテーブル３上において、溝カッター２３を用いて台木ａに指あて用の溝ｂを加工している状態を示す説明図、図９は切断された台木ａに印盤ｃを貼り付けて仕上げられた所謂ゴム印の説明図である。
【００１５】
台木ａを切断する場合には、図６、図７に示すように、先ず、台木スケールゲージ７によりゲージストッパー８の位置（寸法）を決め、ハンドル９で固定し、次に開閉カバー６を上方に開けて台木ａを台木ストッパー４に沿わせながら、台木ａの先端がゲージストッパー８に当って止まるまで押し込む。
次に、図１に示すスイッチ２９をＯＮに制御し、鋸カッター１０の駆動モータ１１を始動させて鋸カッター１０を回転させ、台木ストッパー４、台木スケールゲージ７に台木ａを当てて押えたまま、図６、図７において矢印方向（鋸カッター１０側）に押しつけて台木ａを切断する。この時、電気掃除機も併せて駆動し、切粉を切粉受け入れ室２５内から電気掃除機内に吸引する。台木ａは、上記のようにして所定の大きさに切断する。
【００１６】
次に、指あて溝ｂを加工する場合には、図６、図７に示すように、長尺の台木ａを第２スライドテーブル３の台木ガイドストッパー１５に沿わせ、台木押え１６を上方に持ち上げ、溝カッター２３を駆動し、台木ａをこの溝カッター２３側に前進させて、台木押え１６の下まで来たところで台木押え１６をフリーにすると、この台木押え１６が下降し、ローラー２２、２２ａの部分で台木ａを上方から押える。
【００１７】
この状態で台木ａを台木ガイドストッパー１５に沿って前進させると、溝カッター２３により台木ａの下面に指あて用の溝ｂが台木ａの長手方向に一直線上に加工される。この指あて溝ｂの加工時にも電気掃除機を駆動して、切粉をこの電気掃除機内に吸引する。
なお、台木ａには指あて溝ｂが加工されていないものもあり、この場合には溝カッター２３での加工は省略される。一方、指あて溝ｂが加工される場合には、台木ａは先ずこの指あて溝ｂを加工してから切断加工に移る。
図９は完成したゴム印の外観を示すものである。
【００１８】
【発明の効果】
本発明の係る台木切断・指あて溝加工機は以上のように、台木を任意の大きさにカットしたり、指あて溝を加工したりすることができるので、熟練者でなくても、簡単かつ安全に作業を行うことができる。
また、台木は、桂材、ＭＤＦ、カラーボード、かすがボード、ニューボード、トップスターのべ板（アクリル）等も、カッター１枚ですべて奇麗にカットすることができる。
また、加工機は、小型化、軽量化されているため、作業に場所をとらず、運搬にも便利である。
【図面の簡単な説明】
【図１】本発明に係る加工機の全体説明図
【図２】加工機の平面図
【図３】加工機の正面図
【図４】加工機の左側面図
【図５】加工機の右側面図
【図６】台木を加工している状態の加工機の説明図
【図７】台木を加工している状態の加工機の平面図
【図８】台木の説明図
【図９】完成したゴム印の説明図
【符号の説明】
１  加工機本体
２  スライドテーブル
３  第２スライドテーブル
４  台木ストッパー
５  安全カバー
６  開閉カバー
７  台木スケールゲージ
８  ゲージストッパー
９  固定ハンドル
１０  鋸カッター
１０ａ  駆動軸
１０ｂ  プーリー
１１  モータ
１１ａ  駆動軸
１１ｂ  駆動プーリー
１２  ベルト
１３  テンション調整プーリー
１４  ガイドプーリー
１４ａ  回転軸
１５  台木ガイドストッパー
１６  台木押え
１７、１８  支軸
１９  取付部
２０  螺番
２１  ローラー取付板
２２、２２ａ  押えローラー
２３  溝カッター
２４  連結駆動軸
２５、２６  切粉受け入れ室
２７  接続口
２８  吸引ホース
２９  スイッチ
ａ  台木
ｂ  指あて溝
ｃ  印鑑
【図１】
2004284219.tif 000003
【図２】
2004284219.tif 000004
【図３】
2004284219.tif 000005
【図４】
2004284219.tif 000006
【図５】
2004284219.tif 000007
【図６】
2004284219.tif 000008
【図７】
2004284219.tif 000009
【図８】
2004284219.tif 000010
【図９】
2004284219.tif 000011